(57)【要約】【課題】亀頭に適度な刺激が与えられるため、勃起を促進し、かつ勃起状態の持続時間を長くすることが可能な性不全者用補助器具を提供することができ、なおかつ勃起不全（インポテント）の態様が不明な場合であっても、それぞれに対処できる製品を購入しなければならないという問題を解消して、パーツを併用可能な性不全者用補助器具を提供しようとするものである。【解決手段】両端が開口した巻き取り可能な陰茎締付用内筒と、先端から亀頭を被覆する亀頭部と、陰茎締付用内筒を被覆する陰茎部とを備えた、巻取り可能な柔軟素材からなる外筒とを有し、上記陰茎締付用内筒を巻き取って使用者の陰茎にはめ込み、陰茎締付用内筒を引き伸ばして陰茎上に固着し、さらに巻き取った外筒を亀頭および陰茎締付用内筒の先端から巻き戻して順次装着するようにしたことを特徴とする性不全者用補助器具。【選択図】  図８
2005224543.tif 000002
【特許請求の範囲】
【請求項１】
両端が開口した巻き取り可能な陰茎締付用内筒と、先端から亀頭を被覆する亀頭部と、陰茎締付用内筒を被覆する陰茎部とを備えた、巻取り可能な柔軟素材からなる外筒とを有し、上記陰茎締付用内筒を巻き取って使用者の陰茎にはめ込み、陰茎締付用内筒を引き伸ばして陰茎上に固着し、さらに巻き取った外筒を亀頭および陰茎締付用内筒の先端から巻き戻して順次装着するようにしたことを特徴とする性不全者用補助器具。
【請求項２】
両端が開口した巻き取り可能な陰茎締付用内筒と、先端から亀頭を被覆する亀頭部と、陰茎締付用内筒を被覆する陰茎部とを備えた、巻取り可能な柔軟素材からなる外筒とを有し、上記陰茎締付用内筒を巻き取って使用者の陰茎にはめ込み、陰茎締付用内筒を引き伸ばして陰茎上に固着し、さらに巻き取った外筒を亀頭および陰茎締付用内筒の先端から巻き戻して順次装着するようにした第１の組合せと、
先端から亀頭固定室、亀頭固定室の頚部に径を小さく形成した亀頭固定環および複数片に分離した陰茎固定翼とを備えた内筒と、先端から上記内筒の亀頭固定室を被覆する亀頭部と、陰茎固定翼を被覆する陰茎部とを備えた、巻取り可能な柔軟素材からなる外筒とを有し、上記内筒の陰茎固定翼を拡げて使用者の亀頭を亀頭固定室に収納したのち、陰茎固定翼を閉じて亀頭固定環で陰茎に内筒を固着し、さらに巻き取った外筒を内筒の先端から巻き戻して順次装着するようにした第２の組合せにおいて使用することができ、
上記外筒を併用するようにしたことを特徴とする請求項１または２に記載の性不全者用補助器具。
【請求項３】
両端が開口した巻き取り可能な陰茎締付用内筒が、陰茎の根元部に密着する吸着部を有するようにしたことを特徴とする請求項１または２に記載の性不全者用補助器具。
【発明の詳細な説明】
【技術分野】
【０００１】
この発明は早漏の性機能障害を持った人のために開発され、性行為中での亀頭の刺激を低減して勃起状態の持続時間を長くすることにより、相手女性に正常な性生活を与えることのできる性不全者用補助器具に関するものである。
同時に、この発明は神経障害や糖尿病、高血圧などの肉体的不全や老齢を原因とする勃起不全（インポテント）の性機能障害を持った人のために開発され、使用者の亀頭を適度に刺激して勃起を促し、不全の回復を早めることのできる性不全者用補助器具に関するものである。
【背景技術】
【０００２】
近年、ストレスなどを原因とする神経障害や糖尿病、高血圧等の諸症状により、性不全者が増加の一途をたどっている。複雑化、高度化された近代社会の抱える特徴といえる。すでに北欧やアメリカでは重大な社会問題として多くの専門研究所や企業により集中的に種々の方法が開発されている。
【０００３】
しかし、日本では風俗、習慣の違いや、性不全者に対する基本的な対応の不備により、Ａ・Ｖ（ビデオ）や大人のオモチャというような、全く誤った方向にしかこの問題が発展しなかった。このように日本はこの問題に関しては全くの後進国であり、近代化された複雑な社会の抱える基本的な問題であるとの認識が不足している。
【０００４】
従来、性機能障害者は内科的（薬物）および外科的（手術）により医学的に治療されるものと思われてきた。しかしながら、例えば近視や遠視者は、医学的治療によらずに焦点の合致した眼鏡を使用すれば本来の目的を達成することができる。難聴者が補聴器を使用するのも、義手や義足、生理用ナプキンも同様の医療行為を伴なわない補助器具である。このような人間の体内の医学的治療でなく、なんらかの補助器具を使用して肉体的不全や生理現象を完全に補い、本来の目的を達成することに補助器具の意義がある。
【０００５】
ところで神経障害や糖尿病、高血圧などの肉体的不全や老齢を原因とする勃起不全（インポテント）は夫婦間の性生活において深刻な問題である。従来このような性機能障害を持った人のために開発され、相手女性に正常な性生活を与えることのできる性不全者用の補助器具に類するものとして、使用者のペニスに装着して勃起の状態に偽装する器具が種々知られている。例えば勃起した大きさの所定の硬さのサック状のもの、陰茎部を締め付けて勃起の状態を起こさせるものである。
【０００６】
一方これと同様に早漏も性不全の１つであるが、従来性行為中での亀頭の刺激を低減して勃起状態の持続時間を長くすることにより、早漏を解消することができる補助器具はほとんど存在しなかった。
【０００７】
また、上記勃起した大きさの所定の硬さのサック状のものにおいては、使用者のペニスとの一体感がないため性行為中における感触が悪く、外れやすいという欠点があった。
【０００８】
さらに、陰茎部を締め付けて勃起の状態を起こさせるものにおいては、装着時の操作が面倒なため使用者が着用をあせってより一層勃起不全を来したり、ペニスを傷つけやすいという欠点があった。
【０００９】
以上のような問題点を解決するため、本発明者は先に特開平５−１０３８０５号公報（特許文献１参照）、特開平５−１０３８０６号公報（特許文献２参照）、特開平５−１０３８０７号公報（特許文献３参照）に記載された発明を提案した。例えば特開平５−１０３８０６号公報に記載の発明は、筒状本体を巻き取って使用者の陰茎にはめ込んだ上、巻き戻して使用者の亀頭を筒状本体の先端から露出させるようにしたものである。
また、特開平５−１０３８０７号公報に記載の発明は、先端から亀頭固定室、亀頭固定室の頚部に径を小さく形成した亀頭固定環および複数片に分離した陰茎固定翼とを備えた内筒と、先端から上記内筒の亀頭固定室を被覆する亀頭部と、陰茎固定翼を被覆する陰茎部とを備えた、巻取り可能な柔軟素材からなる外筒とを有し、上記内筒の陰茎固定翼を拡げて使用者の亀頭を亀頭固定室に収納したのち、陰茎固定翼を閉じて亀頭固定環で陰茎に内筒を固着し、さらに巻き取った外筒を内筒の先端から巻き戻して順次装着するようにしたものである。
【特許文献１】特開平５−１０３８０５号公報
【特許文献２】特開平５−１０３８０６号公報
【特許文献３】特開平５−１０３８０７号公報
【発明の開示】
【発明が解決しようとする課題】
【００１０】
しかしながら、上記特開平５−１０３８０６号公報に記載の発明においては、筒状本体を巻き取って使用者の陰茎にはめ込んだ上、巻き戻して使用者の亀頭を筒状本体の先端から露出させているので、亀頭に直接的な刺激が与えられるため、勃起を促進する効果が認められるものの、勃起状態の持続時間を長くすることには無理があり、その改善が望まれていたのである。
【００１１】
また、勃起不全（インポテント）の態様によって、上記上記特開平５−１０３８０６号公報に記載の発明に該当する製品や、特開平５−１０３８０７号公報に記載の発明に該当する製品のいずれを使用したほうが良いかが不明な場合、それぞれの製品を購入しなければならないために高価なものとなってしまうという問題があった。
この発明は上記従来例の以上の欠点を解消しようとするもので、亀頭に適度な刺激が与えられるため、勃起を促進し、かつ勃起状態の持続時間を長くすることが可能な性不全者用補助器具を提供することができ、なおかつ勃起不全（インポテント）の態様が不明な場合であっても、それぞれに対処できる製品を購入しなければならないという問題を解消して、パーツを併用可能な性不全者用補助器具を提供しようとするものである。
【課題を解決するための手段】
【００１２】
すなわちこの発明の性不全者用補助器具は、両端が開口した巻き取り可能な陰茎締付用内筒と、先端から亀頭を被覆する亀頭部と、陰茎締付用内筒を被覆する陰茎部とを備えた、巻取り可能な柔軟素材からなる外筒とを有し、上記陰茎締付用内筒を巻き取って使用者の陰茎にはめ込み、陰茎締付用内筒を引き伸ばして陰茎上に固着し、さらに巻き取った外筒を亀頭および陰茎締付用内筒の先端から巻き戻して順次装着するようにしたことを特徴とするものである。
【００１３】
またこの発明の性不全者用補助器具は、両端が開口した巻き取り可能な陰茎締付用内筒と、先端から亀頭を被覆する亀頭部と、陰茎締付用内筒を被覆する陰茎部とを備えた、巻取り可能な柔軟素材からなる外筒とを有し、上記陰茎締付用内筒を巻き取って使用者の陰茎にはめ込み、陰茎締付用内筒を引き伸ばして陰茎上に固着し、さらに巻き取った外筒を亀頭および陰茎締付用内筒の先端から巻き戻して順次装着するようにした第１の組合せと、
先端から亀頭固定室、亀頭固定室の頚部に径を小さく形成した亀頭固定環および複数片に分離した陰茎固定翼とを備えた内筒と、先端から上記内筒の亀頭固定室を被覆する亀頭部と、陰茎固定翼を被覆する陰茎部とを備えた、巻取り可能な柔軟素材からなる外筒とを有し、上記内筒の陰茎固定翼を拡げて使用者の亀頭を亀頭固定室に収納したのち、陰茎固定翼を閉じて亀頭固定環で陰茎に内筒を固着し、さらに巻き取った外筒を内筒の先端から巻き戻して順次装着するようにした第２の組合せにおいて使用することができ、
上記外筒を併用するようにしたことをも特徴とするものである。
【００１４】
この発明の性不全者用補助器具は、上記両端が開口した巻き取り可能な陰茎締付用内筒が、陰茎の根元部に密着する吸着部を有するようにしたことをも特徴とするものである。
【発明の効果】
【００１５】
この発明の性不全者用補助器具は以上のように構成したので、亀頭に適度な刺激が与えられるため、勃起を促進し、かつ勃起状態の持続時間を長くすることが可能な性不全者用補助器具を提供することができる。
また、勃起不全（インポテント）の態様が不明な場合であっても、それぞれに対処できる製品を購入しなければならないという問題を解消して、パーツを併用可能な性不全者用補助器具を提供することができる。
【００１６】
その他、装着時の操作が簡単で性行為を停滞させることがなく、また性行為中での亀頭の刺激を低減して勃起状態の持続時間を長くし、相手女性に正常な性生活を与えることのできる性不全者用補助器具を提供することができる。
また、取り付けに際して固定バンドや固定テープなど、内筒１，２および外筒３以外の如何なる器具も使用していないため構造が単純で、取り付けや取り外しが１５秒〜２０秒で行なうことができる。
【発明を実施するための最良の形態】
【００１７】
以下、この発明の性不全者用補助器具の実施の形態を図面に基いて詳細に説明する。
図１ないし図３はこの発明の性不全者用補助器具の一実施例を示し、図１（ａ）は勃起を促進し、かつ勃起状態の持続時間を長くすることが可能な性不全者用補助器具の内筒の正面図、（ｂ）はその断面図、（ｃ）はその底面図である。図２（ａ）は勃起した大きさの所定の硬さのサック状をなし、相手女性に正常な性生活を与えることのできる性不全者用補助器具の内筒の正面図、（ｂ）はその断面図、（ｃ）はその底面図である。図３（ａ）は上記内筒に被せる外筒の正面図、（ｂ）はその断面図、（ｃ）はその底面図である。図４は図１の内筒に外筒を組み付けた状態の概略断面図であり、図５は図２の内筒に外筒を組み付けた状態の概略断面図である。
図６は図１の内筒を陰茎に組み付ける手順を示し、（ａ）ははめ込む前の状態の概略断面図、（ｂ）は陰茎にはめ込んだ状態の概略断面図、（ｃ）は内筒を陰茎上に伸ばした状態の概略断面図である。図７はその上に外筒を裏返して取り付ける前の状態を示す概略断面図、図８は外筒を折り返して内筒上に取り付けた状態を示す概略断面図である。
図９は図２の内筒を陰茎に組み付ける手順を示し、（ａ）ははめ込む前の状態の概略断面図、（ｂ）は陰茎にはめ込んだ状態の概略断面図である。図１０はその上に外筒を裏返して取り付ける前の状態を示す概略断面図、図１１は外筒を折り返して内筒上に取り付けた状態を示す概略断面図である。
【００１８】
図１（ａ）、（ｂ）、（ｃ）において、両端が開口した巻き取り可能な陰茎締付用内筒１は、先端から使用者の亀頭に係合する内向きテーパ１２を内面に、外側にフランジ部１３を形成した一端の亀頭固定部１１と、亀頭固定部１１から延びる陰茎固定部１４と、他端側に設けた陰茎の根元を締付ける厚肉部１５、および陰茎の根元部に密着させる吸着部１６とを備えており、全体をゴム（生ゴム、シリコンゴム）、エラストマまたはラテックス等の巻取り可能な柔軟性に富み、伸縮自在の素材で一体成形されている。そして素材は、使用者の精神的圧迫感を軽減するために純透明かまたは素材中に蓄光顔料が混練されている。
【００１９】
また図２（ａ）、（ｂ）、（ｃ）において、内筒２は、先端から使用者の亀頭を収納する亀頭固定室２１、亀頭固定室２１の頚部に径を小さく形成した亀頭固定環２２および２つの片に分離した陰茎固定翼２３とを備えており、全体をゴム（生ゴム、シリコンゴム）、エラストマまたはラテックス等の柔軟性に富み、伸縮自在の素材で一体成形されている。そして素材は、使用者の精神的圧迫感を軽減するために純透明かまたは素材中に蓄光顔料が混練されている。なお、この内筒２においては多少剛性を備えていることが望ましい。
【００２０】
図３（ａ）、（ｂ）、（ｃ）において、外筒３は、先端から上記内筒１，２における亀頭部分を被覆する亀頭部３１と、陰茎部分を被覆する陰茎部３２とを備えた、やはりゴム（生ゴム、シリコンゴム）、エラストマまたはラテックス等の巻取り可能な柔軟性に富み、伸縮自在の素材で一体成形されている。そして素材は、使用者の精神的圧迫感を軽減するために純透明かまたは素材中に蓄光顔料が混練されている。
また、陰茎部３２の開口した端部側を薄肉として、より柔軟性に富む構造としておくことが望ましい。
図中３３はフランジ部である。
【００２１】
上記外筒３は図１に示す陰茎締付用内筒１上に図４に示すように被せて使用される。すなわち、陰茎を締付けるように取り付けた内筒１上を外筒３の陰茎部３２で被覆することにより、内筒１上に外筒３が密着するように組み付けられる。
【００２２】
また外筒３は図２に示す内筒２上に図５に示すように被せて使用される。すなわち、内筒２の亀頭固定室２１を外筒３の亀頭部３１で被覆し、陰茎固定翼２３を陰茎部３２で被覆することにより、内筒２上に外筒３が密着するように組み付けられる。
【００２３】
図６ないし図８に基いて、上記内筒１および外筒３からなる第１の組合せの性不全者用補助器具の着脱操作について説明する。先ず図６（ａ）のように陰茎締付用内筒１は、先端側の亀頭固定部１１と、後端側に設けた陰茎の根元を締付ける厚肉部１５および吸着部１６から陰茎固定部１４上に裏返し、その環状体に指を通して拡げながら、（ｂ）のようにペニス４１の亀頭４２よりペニス４１の根元側の陰茎４３上にはめ込み、陰茎４３の根元部に吸着部１６を密着させる。
その上で、亀頭固定部１１と、厚肉部１５および吸着部１６とを折り返して、（ｃ）のように陰茎４３上に被せる。
他方、図７のように外筒３を陰茎部３２側から巻き上げてゆき、亀頭部３１の根元まで裏返しにする。このようにして図８のように陰茎４３上に被せた陰茎締付用内筒１上に外筒３を巻き戻すことにより、ペニス４１上へのセットが完了する。
【００２４】
その際所定の厚さに形成された上記厚肉部１５は、より強固にペニス４１の根元を締め付けることができ、しかも外筒３を内筒１上に確実に固定することができるように機能している。
また吸着部１６はペニス４１の根元よりも人体側に張り出しているので、外筒３が上記厚肉部１５を押圧する。すなわち、性行為時のピストン運動などで全体が動いても、内筒１が前に送り出されることを防ぐよう作用する。
この吸着部１６による陰茎４３の根元部への密着は、上述のように内筒１のずれを防止して確実な締付を確保するとともに、外筒３を被せた際に筒内の空気が完全に密閉されるよう機能する。
したがって、性不全者用補助器具内の空気圧が保たれてペニス４１をサポートする補強役となる。例えばペニス４１が中折れや萎縮しても充血しているので内容積はあまり代わらず、外筒３が凹むことがない。もし仮に凹んでも、外筒３を多少巻き上げるだけで空気圧が一定の値となる。
【００２５】
図９ないし図１１に基いて、上記内筒２および外筒３からなる第２の組合せの性不全者用補助器具の着脱操作について説明する。先ず図９（ａ）のように内筒２は、陰茎固定翼２３を拡げて亀頭固定環２２から亀頭固定室２１の一部まで裏返し、（ｂ）のように折り返して亀頭固定環２２を亀頭４２の付け根に係合させるようにして、陰茎固定翼２３を陰茎４３上に折り返す。
【００２６】
他方、図１０のように外筒３を陰茎部３２側から巻き上げてゆき、亀頭部３１の根元まで裏返しにする。このようにして図１１のように陰茎４３上に被せた内筒２上に外筒３を巻き戻すことにより、ペニス４１上へのセットが完了する。その際、図１１のように外筒３の端部を折り畳んで長さを調節し、陰茎４３の根元部の締め付け力を確保する。
いずれの場合も、外筒３は内筒１，２に対して併用することができる。
【００２７】
このようにして使用者のペニス４１に取り付けた性不全者用補助器具は、使用者のペニス４１との一体感があって無理なく性行為を行なうことができ、また性行為中での亀頭４２の刺激を低減して勃起状態の持続時間を長くすることにより、相手女性に正常な性生活を与えることができる。しかも、使用者のペニス４１に内筒１，２が、そして内筒１，２には外筒３がそれぞれ密着し、使用中に外れたり、抜けたり、ずれたりすることがないため、正常な性行為の如何なる体位にも使用することができる。
【００２８】
使用後は図６から図８、ないし図９から図１１までの操作を逆に行ない、外筒３および内筒１，２を使用者のペニス４１上から抜き取ればよい。
【００２９】
また、この発明の性不全者用補助器具において使用されるゴム（生ゴム、シリコンゴム）、エラストマまたはラテックス等は人間に対して無害であり、その上肌触りや弾力性、体感温度等において限りなく人間のペニスに近く製作されている。したがって相手女性は、如何なる違和感も感じず、自然性交と同じ満足感が得られる。同様にこの発明の性不全者用補助器具を装着した使用者は、密着性がよいため違和感を感じたり、重さによる負荷を感じることはない。
【００３０】
さらに使用後には洗剤入りの冷温水、煮沸消毒等が可能であり、材質、寸法変化もない。
【産業上の利用可能性】
【００３１】
この発明の性不全者用補助器具は、早漏の性機能障害を持った人において、性行為中での亀頭の刺激を低減して勃起状態の持続時間を長くすることにより、相手女性に正常な性生活を与えるために使用することができる。
同時に、神経障害や糖尿病、高血圧などの肉体的不全や老齢を原因とする勃起不全（インポテント）の性機能障害を持った人において、使用者の亀頭を適度に刺激して勃起を促し、不全の回復を早めるために使用することができる。
【図面の簡単な説明】
【００３２】
【図１】（ａ）は勃起を促進し、かつ勃起状態の持続時間を長くすることが可能な性不全者用補助器具の内筒の正面図、（ｂ）はその断面図、（ｃ）はその底面図である。
【図２】（ａ）は勃起した大きさの所定の硬さのサック状をなし、相手女性に正常な性生活を与えることのできる性不全者用補助器具の内筒の正面図、（ｂ）はその断面図、（ｃ）はその底面図である。
【図３】（ａ）は上記内筒に被せる外筒の正面図、（ｂ）はその断面図、（ｃ）はその底面図である。
【図４】図１の内筒に外筒を組み付けた状態の概略断面図である。
【図５】図２の内筒に外筒を組み付けた状態の概略断面図である。
【図６】図１の内筒を陰茎に組み付ける手順を示し、（ａ）ははめ込む前の状態の概略断面図、（ｂ）は陰茎にはめ込んだ状態の概略断面図、（ｃ）は内筒を陰茎上に伸ばした状態の概略断面図である。
【図７】その上に外筒を裏返して取り付ける前の状態を示す概略断面図である。
【図８】外筒を折り返して内筒上に取り付けた状態を示す概略断面図である。
【図９】図２の内筒を陰茎に組み付ける手順を示し、（ａ）ははめ込む前の状態の概略断面図、（ｂ）は陰茎にはめ込んだ状態の概略断面図である。
【図１０】その上に外筒を裏返して取り付ける前の状態を示す概略断面図である。
【図１１】外筒を折り返して内筒上に取り付けた状態を示す概略断面図である。
【符号の説明】
【００３３】
１，２ 内筒
３ 外筒
１１ 亀頭固定部
１２ 内向きテーパ
１３ フランジ部
１４ 陰茎固定部
１５ 厚肉部
１６ 吸着部
２１ 亀頭固定室
２２ 亀頭固定環
２３ 陰茎固定翼
３１ 亀頭部
３２ 陰茎部
３３ フランジ部
４１ ペニス
４２ 亀頭
４３ 陰茎
【図１】
2005224543.tif 000003
【図２】
2005224543.tif 000004
【図３】
2005224543.tif 000005
【図４】
2005224543.tif 000006
【図５】
2005224543.tif 000007
【図６】
2005224543.tif 000008
【図７】
2005224543.tif 000009
【図８】
2005224543.tif 000010
【図９】
2005224543.tif 000011
【図１０】
2005224543.tif 000012
【図１１】
2005224543.tif 000013